(57)【要約】【課題】  通信方式や電話機の機種等にかかわらず通話内容の録音が可能な電話用録音アダプタを提供することにある。【解決手段】  ハウジング２は外耳装着部４と音導管６を有している。マイクユニット８は外耳装着部４内に取り付けられている。ハウジング２の外耳装着部４には、ハウジング２の上から外耳に当てられる電話機からの受話音Ａが取り込まれる。ハウジング２には、使用者側の送話音Ｂが音導管６から取り込まれる。このようにハウジング２内に取り込まれた受話音Ａと送話音Ｂはハウジング２内で混合され、マイクユニット８とアンプユニット１２にて電気信号に変換される。このように、電話用録音アダプタは、電話機に直接装着又は接続することなく、受話音Ａと送話音Ｂを電気信号として変換出力する。【選択図】図１
2007174610.tif 000002
【特許請求の範囲】
【請求項１】
外耳に装着する外耳装着部と該外耳装着部から口元の方向へ向かって伸びる音導管とを有するハウジングと、
前記外耳装着部内に収められるマイクユニットと、
を備え、
前記ハウジングの上から耳に当てられる電話機からの受話音を前記外耳装着部から取り込み、使用者側の送話音を前記音導管から取り込んで、前記ハウジング内にて混合した前記受話音と送話音を前記マイクユニットにて電気信号に変換することを特徴とする電話用録音アダプタ。
【請求項２】
前記マイクユニットからの電気信号を録音に供するレベルに変換する増幅部及びバンドパスフィルタを備えたアンプユニットを有することを特徴とする請求項１記載の電話用録音アダプタ。
【請求項３】
前記マイクユニットは半導体マイク又はコンデンサマイクからなり、前記マイクユニットからの電気信号を録音に供するレベルに変換する増幅部及びバンドパスフィルタを備えたアンプユニットを前記ハウジングの外側に設けることを特徴とする請求項１記載の電話用録音アダプタ。
【請求項４】
前記外耳装着部には、前記電話機からの受話音を外耳に通過させる通過孔が設けられていることを特徴とする請求項１乃至３の一つに記載の電話用録音アダプタ。
【発明の詳細な説明】
【技術分野】
【０００１】  本発明は、電話機の通話内容を録音する際に使用する録音アダプタであり、特に、各種電話通信方式及び各種電話機構造に全て対応可能なものに関する。
【背景技術】
【０００２】  一般に、電話の通話内容を録音する場合、電話の通信方式に応じた手段で録音することが行なわれていた。即ち、アナログ電話機の場合には、電話回線の２線間から録音信号を取り出したり、又はハンドセットの受話側に側音が含まれるため、受話側から送話及び受話の録音信号を得ることで録音していた。一方、通信方式がデジタル方式の場合、電話機本体に取り付けられたハンドセットのコードから得た録音信号を得ることしかできず、しかもエコー現象を軽減するために電話機内の側音を受話部から出力しないように構成しているので相手からの受話音声と使用者の送話音声の何れか一方のみしか録音できないことがあり、ハンドセットから送話及び受話の各々の信号を混合する混合回路を設けなければ送受話音を録音できる信号が得られなかった。また、携帯電話の場合、音声を取り出すジャックが各社各機種ごとの形式で設けられており、それぞれに対応するように接続することで通話内容を録音していた。【０００３】  上記のように、通話内容を録音するには、アナログ、デジタルの通話方式に対応する録音用のアダプタをそれぞれ用いると共に、携帯電話の場合には更に各社各機種に対応する録音用のアダプタを用いることが必要であった。
【発明の開示】
【発明が解決しようとする課題】
【０００４】  本発明が解決しようとする課題は、上記従来技術の問題点を解決し、通信方式や電話機の機種等にかかわらず通話内容の録音が可能な電話用録音アダプタを提供することにある。
【課題を解決するための手段】
【０００５】  本発明の電話用録音アダプタは、外耳に装着する外耳装着部と該外耳装着部から口元の方向へ向かって伸びる音導管とを有するハウジングと、前記外耳装着部内に収められるマイクユニットと、を備え、前記ハウジングの上から耳に当てられる電話機からの受話音を前記外耳装着部から取り込み、使用者側の送話音を前記音導管から取り込んで、前記ハウジング内にて混合した前記受話音と送話音を前記マイクユニットにて電気信号に変換するものである。この電話用録音アダプタは、前記マイクユニットからの電気信号を録音に供するレベルに変換する増幅部及び明瞭度を上げるバンドパスフィルタを備えたアンプユニットを有している。また、前記マイクユニットは半導体マイク又はコンデンサマイクからなり、前記マイクユニットからの電気信号を録音に供するレベルに変換する増幅部及びバンドパスフィルタを備えたアンプユニットを前記ハウジング内に設けている。また、前記外耳装着部には、前記電話機からの受話音を外耳に通過させる通過孔が設けられている。
【発明の効果】
【０００６】  本発明によれば、電話用録音アダプタを外耳に装着し、通常の通話と同様に電話機を外耳に当てるだけで送話と受話を電気信号に変換することができる。これにより、従来技術のように電話通信方式や各電話機に対応する録音アダプタを準備する必要がなくなり、使用者の負担を軽減することができる。【０００７】  また、本発明の電話用録音アダプタは、外耳に装着するだけで通話内容を電気信号に変換することができ、電話機に直接装着したりコード等で電気的に接続する必要がないので、従来技術のように通信方式や電話機の形状に合わせてそれぞれ装着又は接続を行う必要がない。このため、装着及び使用方法等、取り扱いが簡単であり、従来のもののように取り扱いに関する詳細な説明や問合せ対応等の必要がなくなり、販売に関する負担を軽減することができる。
【発明を実施するための最良の形態】
【０００８】  本発明の電話用録音アダプタは、外耳装着部と音導管を有するハウジングと、外耳装着部内に収められるマイクユニットとを備えている。ハウジングの外耳装着部には、ハウジングの上から外耳に当てられる電話機からの受話音が取り込まれる。また、ハウジングには、使用者側の送話音が音導管から取り込まれる。このようにハウジング内に取り込まれた受話音と送話音はハウジング内で混合され、マイクユニットにて電気信号に変換され、別途設けられた増幅部とバンドパスフィルタを備えたアンプユニットを介して出力される。このように、電話用録音アダプタは、電話機に直接装着又は接続することなく、受話音と送話音を電気信号として変換出力するものである。
【実施例】
【０００９】  図１は本発明の一実施例に係る電話用録音アダプタの要部断面図、図２は図１に示す電話用録音アダプタの使用状態を示す説明図、図３及び図４は図１に示す電話用録音アダプタの正面図及び背面図である。図中の２はハウジングであり、図中上部に外耳に装着する外耳装着部４を有し、この外耳装着部４の図中下側に音導管６を有している。【００１０】  外耳装着部４は、外耳の方向（図１中左方向）に円筒状に突出する突出部４ａと、この突出部４ａの開口部に取り付けられる凹形状のカバー部４ｂとから構成されている。突出部４ａには、外耳の反対側となる電話機の方向（図１中右方向）の中央部に図２に示す電話機１６からの受話音Ａを取り込む複数の縦長孔からなる孔４ｃが設けられ、その周囲にも受話音Ａを取り込む複数の通過孔４ｄが円弧状に配設されている。また、カバー部４ｂには、通過孔４ｄから外耳装着部４内に取り込まれる受話音Ａと音導管６によって取り込まれる送話音Ｂを、外耳の方向へ通過させる複数の通過孔４ｅが円形に配設されている。【００１１】  音導管６は、外耳装着部４から使用者の口元の方向（図中下方）に向かって伸びる細管からなるものであり、その内部に外耳装着部４内に通じる音導孔６ａが設けられている。また、音導管６には、送話音Ｂを取り込むため、その下方の端部に口元方向に開口する開口部６ｂと、電話機受話器の方向に開口する複数の横長孔からなる孔６ｃが設けられている。また、この音導管６の中央付近には、後述するマイクユニットからのコードを引き出す引出口６ｄが設けられている。尚、本実施例における音導管６は、外耳装着部４と一体に形成されているが、これを別々に形成して嵌合、接着等により結合させても良い。【００１２】  ８はマイクユニットであり、本実施例においては外耳装着部４内に取り付けられている。このマイクユニット８は、その集音面が外耳装着部４の孔４ｃに対向するように配置されており、カバー部４ｂに対向する部分にコード１０が取り付けられている。このコード１０は、音導管６ａを通って、音導管６の引出口６ｄからハウジング２の外方に引き出されている。【００１３】  １２はマイクユニット８から出力される電気信号を受けて増幅する増幅部、バンドパスフィルタ及び電源電池を備えたアンプユニットである。このアンプユニット１２は、図１に示すように、ハウジング２の外側に設けられた別ハウジング内に収められており、コード１０と出力端子の途中に接続されている。尚、このアンプユニット１２は、ハウジング２内に収めることも可能であるが、耳１４に装着するハウジング２を小型・軽量にして装着時の違和感をなくすため、ハウジング２の外側に設けることが好ましい。【００１４】  次に、上記構成からなる電話用録音アダプタの使い方の一例と各部の作用を説明する。はじめに、図２に示すように、使用者の耳１４の外耳に外耳装着部４を軽く押し込むようにして装着する。このときに外耳装着部４の下に設けられた音導管６は、使用者の口元方向に伸びることになる。この図２に示す状態になるように外耳に装着し、コード１０の先端を録音機器（図示せず）に接続する。ここで、ハウジング２の上から送受話器、携帯電話等の電話機１６を耳１４に当てて通話を行なう。電話機１６の受話音Ａは、耳１４に当てた部分から耳１４の方向に放出され、外耳装着部４の孔４ｃ及び通過孔４ｄを通過して外耳装着部４内に取り込まれる。孔４ｃから取り込まれた受話音Ａは、孔４ｃに対面するマイクユニット８が集音して電気信号に変換し、コード１０とアンプユニット１２を介して録音機械に送出される。また、通過孔４ｄから取り込まれた受話音Ａは、そのままカバー部４ｂの通過孔４ｅを通過して外耳方向に放出される。これにより電話機１６の受話音Ａは、電気信号に変換されて録音に供されると共に、外耳に届くことになる。【００１５】  一方、使用者の送話音声等の送話音Ｂは、電話機１６の下端に設けられたマイクから通話に用いられると共に、音導管６の開口部６ｂ及び孔６ｃから音導管６内に取り込まれる。この開口部６ｂは使用者の口元又は頬に面する方向に開口しており、直接使用者の送話音声を取り込み、また孔６ｃは側方に開口しており、電話機１６によって反射される送話音声等を広く取り込むものとなっている。このように音導管６内に取り込まれた送話音Ｂは、音導孔６ａを通って外耳装着部４内へと導かれる。外耳装着部４内に導かれた送話音Ｂはここで受話音Ａと混合され、受話音Ａと同様に、マイクユニット８とアンプユニット１２にて電気信号に変換されて録音に供されると共に、通過孔４ｅから外耳に届くことになる。【００１６】  尚、本実施例においては外耳装着部４を外耳に軽く押し込んで装着しているが、この他、耳掛け具等を装備することで耳に掛け止め装着するように構成したものであっても良い。【００１７】  また、音導管６の下端にキャップ等を取り付けて開口部６ｂと孔６ｃを塞ぐことで受話音Ａのみを電気信号に変換することも可能である。
【産業上の利用可能性】
【００１８】  本発明の電話用録音アダプタは、直接電話機に取り付けたり接続することなく通話内容を電気信号に変換するものであるが、この他、ヘッドホンで聴く音楽に声を混合して録音又は拡声すること等にも使用することが可能である。
【図面の簡単な説明】
【００１９】
【図１】      本発明の一実施例に係る電話用録音アダプタの要部断面図である。
【図２】      図１に示す電話用録音アダプタの使用状態を示す説明図である。
【図３】      図１に示す電話用録音アダプタの正面図である。
【図４】      図１に示す電話用録音アダプタの背面図である。
【符号の説明】
【００２０】２    ハウジング
４    外耳装着部
４ａ  突出部
４ｂ  カバー部
４ｃ  孔
４ｄ、４ｅ  通過孔
６    音導管
６ａ  音導孔
６ｂ  開口部
６ｃ  孔
８    マイクユニット
１０  コード
１２  アンプユニット
１４  耳
１６  電話機
【図１】
2007174610.tif 000003
【図２】
2007174610.tif 000004
【図３】
2007174610.tif 000005
【図４】
2007174610.tif 000006